(57)【特許請求の範囲】
【請求項１】
秒針、秒針駆動輪列機構、秒針モータ、及び秒針モータ駆動回路からなる秒表示手段、時分針、時分針駆動輪列機構、時分針モータ、及び時分針モータ駆動回路からなる時分表示手段、及びこれらの手段に電力を供給する電池とを備えた電子時計において、
予め設定された停止期間中は前記秒針モータを停止して秒表示機能を停止させる表示停止手段を有し、
前記表示停止手段は、前記時分針駆動輪列機構により駆動されて表示停止開始時刻信号を発生し前記秒針モータ駆動回路に与える停止開始スイッチ手段、表示停止開始時刻からの経過時間をカウントする停止時間計時手段、予め設定されている停止時間と前記停止時間計時手段からの経過時間とが一致した時に表示停止解除信号を発生し前記秒針モータ駆動回路に与える停止時間比較手段、及び前記表示停止時間を記憶する停止時間記憶手段とから構成されていることを特徴とする電子時計。
【請求項２】
前記表示停止手段は、前記停止時間記憶手段に表示停止時間を入力する停止時間入力手段を有することを特徴とする請求項１記載の電子時計。
【請求項３】
前記表示停止手段は、前記時分針駆動輪列機構により駆動されて表示停止開始時刻信号を発生し前記秒針モータ駆動回路に与える停止開始スイッチ手段、表示停止開始時刻からの経過時間をカウントする停止時間計時手段、予め設定されている停止時間と前記停止時間計時手段からの経過時間とが一致した時に表示停止解除信号を発生し前記秒針モータ駆動回路に与える停止時間比較手段、前記表示停止時間を記憶する停止時間記憶手段、及び該停止時間記憶手段に表示停止時間を入力する停止時間入力手段とから構成されていることを特徴とする請求項１又は２記載の電子時計。
【請求項４】
秒針、秒針駆動輪列機構、秒針モータ、及び秒針モータ駆動回路からなる秒表示手段、時分針、時分針駆動輪列機構、時分針モータ、及び時分針モータ駆動回路からなる時分表示手段、及びこれらの手段に電力を供給する電池とを備えた電子時計において、予め設定された停止期間中は前記秒針モータを停止して秒表示機能を停止させる表示停止手段を有し、
前記表示停止手段は、前記時分針駆動輪列機構により駆動されて表示停止開始信号を発生し前記秒針モータ駆動回路に与える停止開始スイッチ手段、及び前記時分針駆動輪列機構により駆動されて表示停止解除信号を発生し前記秒針モータ駆動回路に与える停止解除スイッチ手段とから構成されていることを特徴とする電子時計。
【請求項５】
前記表示停止手段は、更に、前記秒針モータ駆動回路に表示停止強制解除信号を与える強制解除スイッチ手段、及び停止時間計時手段からの経過時間と前記強制解除スイッチ手段からの表示停止強制解除信号とに基づいて秒補正信号を発生し前記秒針モータ駆動回路に与える補正手段とから構成されていることを特徴とする請求項４記載の電子時計。
【発明の詳細な説明】
【０００１】
【発明の属する技術分野】
本発明は、一次電池又は二次電池を電源とする電子時計の表示機構に関し、特に、電子時計の低消費電力化を可能にする表示機構に関する。
【０００２】
【従来の技術】
特開昭６３−１４８１９３号公報には、二次電池の電位が設定値まで低下した場合には、モータ駆動を停止して現時刻表示を中断し、同時に実時間記憶回路を作動させて現時刻との差をカウントさせるようにした充電式電子時計が開示されている。上記設定値はモータを駆動するのに要する最低の電圧近くの値であり、実時間記憶回路を含む電子回路の消費電流とは桁違いに大きな電流を消費するモータを停止させることで二次電池の消費電流を抑制し、二次電池が再充電されるまで電池時計を生き延びさせるようにしたものである。
【０００３】
このような充電式電子時計においては、二次電池が実時間記憶回路を含む電子回路を作動させるのに十分な電位を維持している間に上記設定値以上の値まで再充電されモータの駆動が開始された場合には、現時刻表示に復帰させることが問題となる。この問題は、実時間記憶回路に記憶されているデータに基づいて、３２Ｈｚ又は６４Ｈｚ相当の高い周波数の早送りパルスを駆動回路に与えることによって解決している。
【０００４】
しかしながら、このような充電式電子時計は、モータの駆動が停止されてから再開されるまでの間、即ちモータ停止期間は、時計の基本機能である現時刻表示ができないという問題がある。
【０００５】
特開平４−２９６８８号公報には、二次電池と、二次電池充電機構と、前記二次電池により駆動される電気回路と、該電気回路から２秒以上の間隔で出力される駆動信号によりステップ駆動されるモータと、該モータの動きを伝達する伝達輪列と、時刻を表示する指示部材から構成され、表示を「時」と「分」の２針のみとし、モータの運針間隔を２秒以上と長くして低消費電力化を図った充電式電子時計が開示されている。
【０００６】
ところが、このような２針のみの充電式電子時計においては、動いているのか、止まっているのかが判りにくいという問題がある。そこで、前記指示部材を少なくとも「時」の経過を示す第１指示部材と、「分」の経過を示す第２指示部材と、該第２指示部材よりも短い時間で１回転する如く輪列構成された第３指示部材とで構成して上述の問題を解決している。要するに、上述の問題を時計が動いていることを知らせるための第３指示部材を設けることで解決しているのである。
【０００７】
しかしながら、時計が動いていることを知らせるためにのみ機能する第３指示部材は、時計は動いているのが当然と考える利用者にとっては違和感を与えるという問題がある。また、時計の本来機能とは関係のない第３指示部材を設けることは、設計上も、製造上からも好ましくないという問題もある。
【０００８】
【発明が解決しようとする課題】
本発明が解決しようとする課題は、一次電池又は二次電池を電源とする電子時計において、低消費電力化を図りながら、使用中は利用者に決して違和感を与えないようにすることである。
【０００９】
【課題を解決するための手段】
上記課題を解決するために、本発明に係る電子時計を、表示手段、表示制御手段、時刻計時手段、分周手段、発振手段、これらの手段に電力を供給する電池とで構成すると共に、予め設定された停止期間中は前記表示手段の表示機能を停止させる表示停止手段を設けた。
【００１０】
そして、本発明に係る電子時計における前記表示停止手段を、表示停止開始時刻並びに表示停止解除時刻を記憶する停止期間記憶手段、該停止期間記憶手段に表示停止開始時刻並びに表示停止解除時刻を入力する停止期間入力手段、及び前記停止期間記憶手段からの表示停止開始時刻情報と前記時刻計時手段からの時刻情報とが一致した時に表示停止開始信号を発生し、且つ前記停止期間記憶手段からの表示停止解除時刻情報と前記時刻計時手段からの時刻情報が一致した時に表示停止解除信号を発生し、これらの信号を前記表示制御手段に与える停止期間比較手段とで構成した。更に、前記表示停止手段に加えて表示停止強制解除入力手段を設けた。
【００１１】
また、上記課題を解決するために、本発明に係る他の電子時計を、秒針、秒針駆動輪列機構、秒針モータ、及び秒針モータ駆動回路からなる秒表示手段、時分針、時分針駆動輪列機構、時分針モータ、及び時分針モータ駆動回路からなる時分表示手段、及びこれらの手段に電力を供給する電池とで構成すると共に、予め設定された停止期間中は前記秒針モータを停止して秒表示機能を停止させる表示停止手段を設けた。
【００１２】
そして、本発明に係る他の電子時計における前記表示停止手段は、前記時分針駆動輪列機構により駆動されて表示停止開始時刻信号を発生し前記秒針モータ駆動回路に与える停止開始スイッチ手段、表示停止開始時刻からの経過時間をカウントする停止時間計時手段、予め設定されている停止時間と前記停止時間計時手段からの経過時間とが一致した時に表示停止解除信号を発生し前記秒針モータ駆動回路に与える停止時間比較手段、前記表示停止時間を記憶する停止時間記憶手段、及び該停止時間記憶手段に表示停止時間を入力する停止時間入力手段とで構成される。
【００１３】
前記表示停止手段は、更に、前記秒針モータ駆動回路に表示停止強制解除信号を与える強制解除スイッチ手段、及び前記停止時間計時手段からの経過時間と前記強制解除スイッチ手段からの表示停止強制解除信号とに基づいて秒補正信号を発生し前記秒針モータ駆動回路に与える補正手段が加えられて構成される。
【００１４】
また、本発明に係る他の電子時計における前記表示停止手段は、前記時分針駆動輪列機構により駆動されて表示停止開始時刻信号を発生し前記秒針モータ駆動回路に与える停止開始スイッチ手段、及び前記時分針駆動輪列機構により駆動されて表示停止解除時刻信号を発生し前記秒針モータ駆動回路に与える停止解除スイッチ手段とで構成される。
【００１５】
前記表示停止手段は、更に、前記時分針駆動輪列機構により駆動されて表示停止解除時刻信号を発生し前記秒針モータ駆動回路に与える停止解除スイッチ手段、及び前記秒針モータ駆動回路に表示停止強制解除信号を与える強制解除スイッチ手段、前記停止時間計時手段からの経過時間と前記強制解除スイッチ手段からの表示停止強制解除信号とに基づいて秒補正信号を発生し前記秒針モータ駆動回路に与える補正手段が加えられて構成される。
【００１６】
【発明の実施の形態】
図１に示す第１実施例は、時刻を表示する表示手段１と、表示手段１を制御する表示制御手段２と、表示制御手段２に時刻情報を与える時刻計時手段３と、時刻計時手段３に時刻計時パルスを与える分周手段４と、分周手段４に基準パルスを与える発振手段５と、図示しない電池とから構成された電子時計に、予め設定された停止期間中は前記表示手段の表示機能を停止させる表示停止手段を設けたものである。
【００１７】
図１の第１実施例における表示停止手段は、表示停止開始時刻並びに表示停止解除時刻を記憶する停止期間記憶手段６と、停止期間記憶手段６に表示停止開始時刻並びに表示停止解除時刻を入力する停止期間入力手段７と、表示停止開始信号Ｓ１と表示停止解除信号Ｓ２を表示制御手段２に与える停止期間比較手段８と、表示停止を中途で強制的に解除させる強制解除入力手段９とで構成されている。表示停止開始時刻と表示停止終了時刻は、例えば開始時刻を２３時３０分００秒、終了時刻を翌日の６時１５分００秒とする。このように、表示停止期間は例えば睡眠時間等であって、通常は時計を継続して一定時間使わない期間である。
【００１８】
停止期間比較手段８は、現時刻情報と停止開始時刻情報を比較し、一致したことを検出すると、表示制御手段２に表示停止開始信号Ｓ１を与える。すると表示制御手段２は表示手段１を制御して表示機能を停止させる。停止期間比較手段８は、現時刻情報と停止終了時刻情報を比較し、一致したことを検出すると、表示制御手段２に表示停止終了信号Ｓ２を与える。すると、表示制御手段２は表示手段１を制御して表示機能を再開させ、これによって電子時計を通常の時計動作に復帰させる。表示停止期間中に、強制的に表示停止を解除する必要が生じた場合には、強制解除入力手段９から強制解除信号Ｓ３が表示制御手段２に与えられる。すると、表示制御手段２は表示手段１を制御して表示機能を再開させ、これによっても電子時計を通常の時計動作に復帰させる。
【００１９】
図２に示す第２実施例と図３に示す第３実施例は、いずれも、秒針３１、秒針駆動輪列機構３２、秒針モータ３３及び秒針モータ駆動回路３４を含む秒表示手段と、時分針４１、時分針駆動輪列機構４２、時分針モータ４３及び時分針モータ駆動回路４４を含む時分表示手段、及びこれらの手段に電力を供給する電池とを備えた電子時計、即ちアナログ電子時計に、予め設定された停止期間中は前記表示手段の表示機能を停止させる表示停止手段を設けたものである。
【００２０】
秒針モータ駆動回路３４は、分周手段４から所定周波数の秒針駆動用基準パルスを受信し、秒針モータ３３を駆動する。すると秒針モータ３３は、秒針駆動輪列機構３２を介して、秒針３１を運針する。また、時分針モータ駆動回路４４は、分周手段４から所定周波数の時分針駆動用基準パルスを受信し、時分針モータ４３を駆動する。すると時分針モータ４３は、時分針駆動輪列機構４２を介して、時分針４１を運針する。
【００２１】
図２の第２実施例における表示停止手段は、時分針駆動輪列機構４２により駆動されて表示停止開始信号Ｓ１を発生し秒針モータ駆動回路３４に与える停止開始スイッチ手段１１と、表示停止開始時刻からの経過時間をカウントする停止時間計時手段１０と、予め設定されている停止時間と停止時間計時手段１０からの経過時間とが一致した時に表示停止解除信号Ｓ２を発生し秒針モータ駆動回路３４に与える停止時間比較手段１８と、表示停止時間を記憶する停止時間記憶手段１６と、停止時間記憶手段１６に表示停止時間を入力する停止時間入力手段１７と、秒針モータ駆動回路３４に表示停止強制解除信号Ｓ３を与える強制解除スイッチ手段１９と、停止時間計時手段１０からの経過時間と強制解除スイッチ手段１９からの表示停止強制解除信号Ｓ３とに基づいて秒補正信号Ｓ４を発生し秒針モータ駆動回路３４に与える補正手段１３とで構成されている。停止開始スイッチ手段１１は、開始時刻入力手段１４によって表示開始時刻が設定されるようになっている。
【００２２】
図２の第２実施例において、表示停止開始信号Ｓ１が発生すると、秒針モータ駆動回路３４は非動作状態となり、秒針モータ３３の駆動は停止し、秒表示が停止する。予定の停止期間が経過し、表示停止解除信号Ｓ２が発生すると、秒針モータ駆動回路３４は動作状態に復帰し、秒針モータ３３の駆動が再開し、秒表示が再開する。この表示停止期間中は、時分表示は通常の通りであるが、秒針モータ３３が停止しているので、その分だけ、電池の消費電力は節減される。
【００２３】
表示停止期間中に表示停止強制解除信号Ｓ３が発生したときも、秒針モータ駆動回路３４は動作状態に復帰し、秒針モータ３３の駆動が再開し、秒表示が再開する。このような強制解除が行われた場合の殆どは、秒針を現時刻に迅速に一致させる秒補正が必要である。図２において、６０進カウンタである停止時間計時手段１０は、表示停止開始信号Ｓ１が発生した時点から経過時間のカウントを行い、表示停止強制解除信号Ｓ３が発生したときにカウントを停止する。そして、このカウント停止時のカウント値を補正手段１３に送る。補正手段１３は、送られてきたカウント値に基づいて、秒針モータ駆動回路３４に秒補正信号Ｓ４を送る。すると、秒針モータ駆動回路３４は秒補正信号Ｓ４に基づいて、秒針３１を早送りし、秒補正を行う。
【００２４】
図３の第３実施例における表示停止手段は、時分針駆動輪列機構４２により駆動されて表示停止開始時刻信号Ｓ１を発生し秒針モータ駆動回路３４に与える停止開始スイッチ手段１１と、時分針駆動輪列機構４２により駆動されて表示停止解除信号Ｓ２を発生し秒針モータ駆動回路３４に与える停止解除スイッチ手段１２と、表示停止開始時刻からの経過時間をカウントする停止時間計時手段１０と、秒針モータ駆動回路３４に表示停止強制解除信号Ｓ３を与える強制解除スイッチ手段１９と、停止時間計時手段１０からの経過時間と強制解除スイッチ手段１９からの表示停止強制解除信号Ｓ３とに基づいて秒補正信号Ｓ４を発生し秒針モータ駆動回路３４に与える補正手段１３とで構成されている。停止開始スイッチ手段１１は開始時刻入力手段１４によって表示開始時刻が設定され、また、停止解除スイッチ１２は解除時刻入力手段１５によって表示停止時刻が設定される。
【００２５】
図３の第３実施例において、表示停止開始信号Ｓ１が発生すると、秒針モータ駆動回路３４は非動作状態となり、秒針モータ３３の駆動は停止し、秒表示が停止する。予定の停止期間が経過し、表示停止解除信号Ｓ２が発生すると、秒針モータ駆動回路３４は動作状態に復帰し、秒針モータ３３の駆動が再開し、秒表示が再開する。この表示停止期間中は、時分表示は通常の通りであるが、秒針モータ３３が停止しているので、その分だけ、電池の消費電力は節減される。
【００２６】
表示停止期間中に表示停止強制解除信号Ｓ３が発生したときも、秒針モータ駆動回路３４は動作状態に復帰し、秒針モータ３３の駆動が再開し、秒表示が再開する。このような強制解除が行われた場合の殆どは、秒針を現時刻に迅速に一致させる秒補正が必要である。図３において、停止時間計時手段１０は表示停止開始信号Ｓ１が発生した時点から経過時間のカウントを行い、表示停止強制解除信号Ｓ３が発生したときにカウントを停止する。そして、このカウント停止時のカウント値を補正手段１３に送る。補正手段１３は、送られてきたカウント値に基づいて、秒針モータ駆動回路３４に秒補正信号Ｓ４を送る。すると、秒針モータ駆動回路３４は秒補正信号Ｓ４に基づいて、秒針３１を早送りし、秒補正を行う。なお、停止時間計時手段１０に６０進カウンタを採用すれば、経過時間のカウント値は補正パルス数となる。
【００２７】
図４に示す第４実施例は、時刻を表示する液晶表示装置５１と液晶駆動回路５２とからなる液晶表示部５０と、プログラムに従って制御及び演算を行うＣＰＵ２０と、ＣＰＵ２０に与えられる制御及び演算のプログラムが格納されたＲＯＭ２１と、表示停止開始時刻や表示停止解除時刻、その他の情報が記憶されたＲＡＭ２２と、ＣＰＵ２０に時刻情報を与える時計回路２３と、時計回路２３に時刻計時パルスを与える分周回路２４と、基準パルスを分周回路２４に与える発振回路２５と、表示停止開始時刻、表示停止解除時刻、強制停止解除等の各種情報を設定するスイッチ部２７と、図示しない電池とから構成されたデジタル電子時計である。
【００２８】
図５に示す第５実施例は、秒針３１、秒針駆動輪列機構３２、秒針モータ３３及び秒針モータ駆動回路３４を含む秒表示部３０と、時分針４１、時分針駆動輪列機構４２、時分針モータ４３及び時分針モータ駆動回路４４を含む時分表示部４０、プログラムに従って制御及び演算を行うＣＰＵ２０と、ＣＰＵ２０に与えられる制御及び演算のプログラムが格納されたＲＯＭ２１と、表示停止開始時刻や表示停止解除時刻、その他の情報が記憶されたＲＡＭ２２と、ＣＰＵ２０に時刻情報を与える時計回路２３と、時計回路２３に時刻計時パルスを与える分周回路２４と、基準パルスを分周回路２４に与える発振回路２５と、表示停止開始時刻、表示停止解除時刻、強制停止解除等の各種情報を設定したり、強制解除を指示するスイッチ部２７と、図示しない電池とから構成されたアナログ電子時計である。
【００２９】
図４の第４実施例と図５の第５実施例の電子時計において、ＣＰＵ２０とＲＯＭ２１とＲＡＭ２２は、図１の表示制御手段２を機能的に構成している。また、図１の停止期間記憶手段６はＲＡＭ２２に、停止期間入力手段７はスイッチ部２７に、停止期間比較手段８はＣＰＵ２０に、更に強制解除入力手段９はスイッチ部２７に夫々対応している。なお、スイッチ部２７で設定される表示停止期間情報は、表示停止開始時刻と表示停止解除時刻だけでなく、表示開始時刻と表示停止時間でもよい。
【００３０】
第４実施例と第５実施例の電子時計は、図６のフロー図に従った省電力表示動作を行う。即ち、ＣＰＵ２０は常に時刻計時（１０１）を行っており、現在の時刻が表示停止期間中か否かを判断する（１０２）。現在の時刻が表示停止期間中であれば、ＣＰＵ２０は強制解除スイッチが押されているか否かを判断する（１０３）。強制解除スイッチが押されていなければ、省電力表示を継続する（１０４）。ここに省電力表示状態とは、第４実施例においては液晶表示装置を作動させない状態であり、また、第５実施例においては秒表示部３０、又は秒表示部３０と時分表示部４０を作動させない状態のことである。
【００３１】
ステップ１０２で、現在の時刻が表示停止期間中ではないと判断された場合には、予め設定された停止解除による停止解除直後か否かを判断する（１０５）。予め設定された停止解除による停止解除直後であれば、ＣＰＵ２０は表示の補正を行い（１０６）、表示部に通常表示を行わせる（１０７）。また、ステップ１０３で、強制解除スイッチが押されていると判断された場合にも、ＣＰＵ２０は表示の補正を行い（１０６）、表示部に通常表示を行わせる（１０７）。更に、ステップ１０５で予め設定された停止解除による停止解除直後でないと判断された場合には、時刻を表示する表示部に通常表示を継続させる（１０７）。
【００３２】
【発明の効果】
本発明は一次電池又は二次電池を電源とする電子時計において、予め設定された停止期間中は前記表示手段の表示機能を停止させる表示停止手段を設けたものである。従って、本発明により、低消費電力化を図りながら、使用中は利用者に決して違和感を与えない電子時計が提供された。
【図面の簡単な説明】
【図１】本発明の第１実施例の機能ブロック図である。
【図２】本発明の第２実施例の機能ブロック図である。
【図３】本発明の第３実施例の機能ブロック図である。
【図４】本発明の第４実施例のブロック図である。
【図５】本発明の第５実施例のブロック図である。
【図６】本発明の第４又は第５実施例の省電力表示動作の流れを示したフロー図である。
【符号の説明】
１  表示手段
２  表示制御手段
３  時刻計時手段
４  分周手段
５  分周手段
６  停止期間記憶手段
７  停止期間入力手段
８  停止期間比較手段
９  強制解除入力手段
１０  停止期間計時手段
１１  停止開始スイッチ手段
１２  停止解除スイッチ手段
１３  補正手段
１４  開始時刻入力手段
１５  解除時刻入力手段
１６  停止期間記憶手段
１７  停止期間入力手段
１８  停止期間比較手段
１９  強制解除スイッチ手段
２０  ＣＰＵ
２１  ＲＯＭ
２２  ＲＡＭ
２３  時計回路
２４  分周回路
２５  発振回路
３０  秒表示部
３１  秒針
３２  秒針駆動輪列機構
３３  秒針モータ
３４  秒針モータ駆動回路
４０  時分表示部
４１  時分針
４２  時分針駆動輪列機構
４３  時分針モータ
４４  時分針モータ駆動回路
５０  液晶表示部
５１  液晶表示装置
５２  液晶駆動回路
【図１】
0003727501.tif 000002
【図２】
0003727501.tif 000003
【図３】
0003727501.tif 000004
【図４】
0003727501.tif 000005
【図５】
0003727501.tif 000006
【図６】
0003727501.tif 000007